(57)【要約】【課題】水を容易に解離や電離させるだけのエネルギーを供給することで、水を高率的に生成することができ、また、過剰に生成された水の処理方法を提供することを目的とする。【解決手段】放電電極１と、対向電極２と、前記電極間に高電圧を印加し放電を発生させるパルス高電圧印加装置３と、ペルチェ素子４と、ヒートシンク５とで構成している空気浄化装置において、前記ペルチェ素子４で冷却される前記放電電極１の周辺に、溜水部である窪み６を設置することにより、前記放電電極１に結露した水を窪み６内に溜めることができるので、外部に水が流れ出たりすることがなくなる。【選択図】図１
2006102202.tif 000002
【特許請求の範囲】
【請求項１】
放電電極と対向電極との間にパルス状高電圧を印加し、両電極間で放電させるパルス高電圧印加手段と、前記放電電極および／または前記対向電極に設けられ、無給水で水を発生させる水発生手段とを備え、前記電極間に発生させた水と放電を利用し、放電領域でラジカルやイオン等、およびそれらを含んだ微細な水粒子を生成し、前記放電領域下流に放出させるとともに、水を溜めておく溜水部を有する空気浄化装置。
【請求項２】
溜水部に不織布を設けたことを特徴とする請求項１記載の空気浄化装置。
【請求項３】
送風機能を有する風回路を備え、不織布に給水された水を、前記風回路内へ誘導する構成とした請求項２記載の空気浄化装置。
【請求項４】
送風機能を有する風回路と、前記風回路内に配設されたヒートシンクとを備え、不織布に給水された水を、前記ヒートシンクの放熱を利用して蒸発させるようにしたことを特徴とする請求項２記載の空気浄化装置。
【請求項５】
ペルチェ素子の電源をＯＦＦまたは極性を反転にするようにしたことを特徴とする請求項１記載の空気浄化装置。
【発明の詳細な説明】
【技術分野】
【０００１】
本発明は、放電と水を利用し、空気中の悪臭物質や有害物質、さらに細菌やアレルゲン等の除去を行う空気浄化装置に関するものである。
【背景技術】
【０００２】
従来、放電と水を利用し、脱臭や殺菌を行う空気浄化装置は、水蒸気を放電領域部分に導入して、放電により高速飛散している電子と水分子との衝突や紫外線等により、酸化力の強いＯＨラジカルを生成し、悪臭成分や有害物質の分解、さらには空気中の菌・ウイルスなどの不活化やＤＮＡ・ＲＮＡの破壊等を行い繁殖を防止させている（例えば、特許文献１参照）。
【０００３】
また、水溜部の水を静電霧化させて酸化力の高いラジカルとともにそれを含んだ水を霧化し、室内へ放出し、室内空気や室内壁面等の付着臭の脱臭を行っているものもある（例えば、特許文献２参照）
【特許文献１】特開２００１−９６１９０号公報
【特許文献２】特開２００４−８５１８５号公報
【発明の開示】
【発明が解決しようとする課題】
【０００４】
しかしながら、前記従来の装置は、水を水道配管から給水したり、水タンク等に入れてから放電部分まで給水することが必要であり、一度装置を取り付けると簡単に移動することができない。また水が無くなるとタンクに給水してやることが必要などの手間がかかるという課題を有していた。
【０００５】
そこで前記従来の課題を解決するため、放電電極と対向電極のどちらかまたは両方にペルチェ素子を使用し無給水で水を発生させ、前記電極間に高電圧を印加し放電させ、放電領域でより長寿命な酸化力の高いラジカルやイオン等、およびそれらを含んだ微細な水粒子を生成し、放電領域下流に放出させ、放出された領域の脱臭、殺菌、有害物質除去等を行うものが提案されている。
【０００６】
しかしながら、前記電極間に印加する高電圧印加装置が交流高電圧や直流高電圧では、電極部分に生成した水を解離や電離させるだけのエネルギーが低いため、ラジカル・イオン・酸化性物質の生成量が少なくなる。つまり、水を高率的に消費・生成することができない。また、まわりの環境温湿度条件によっては、過剰に水が生成され、外部に水が流れ出たり、飛び出すといった課題を有していた。
【０００７】
本発明は、前記従来の課題を解決するもので、水を容易に解離や電離させるだけのエネルギーを供給することで、水を高率的に生成することができ、また、過剰に生成された水の処理方法を提供することを目的とする。
【課題を解決するための手段】
【０００８】
前記従来の課題を解決するために、本発明の空気浄化装置は、放電電極と対向電極との間にパルス状高電圧を印加し、両電極間で放電させるパルス高電圧印加手段と、前記放電電極および／または前記対向電極に設けられ、無給水で水を発生させる水発生手段とを備え、前記電極間に発生させた水と放電を利用し、放電領域でラジカルやイオン等、およびそれらを含んだ微細な水粒子を生成し、前記放電領域下流に放出させるとともに、水を溜めておく溜水部を有するもので、これによって結露水は溜水部の中に溜まり、外に流れ出
すことはなくなる。したがって、過剰に生成された結露水が、送風機等の気流や設置方法で外側に飛び出したり、流れ出ることを防止することができ、水の飛び出しクレームの防止をすることができる。
【発明の効果】
【０００９】
本発明によれば、水を容易に解離や電離させるだけのエネルギーを供給することで、水を高率的に生成することができ、また、過剰に生成された水の処理方法を提供できる。
【発明を実施するための最良の形態】
【００１０】
第１の発明は、放電電極と対向電極との間にパルス状高電圧を印加し、両電極間で放電させるパルス高電圧印加手段と、前記放電電極および／または前記対向電極に設けられ、無給水で水を発生させる水発生手段とを備え、前記電極間に発生させた水と放電を利用し、放電領域でラジカルやイオン等、およびそれらを含んだ微細な水粒子を生成し、前記放電領域下流に放出させるとともに、水を溜めておく溜水部を有するもので、これによって結露水は溜水部の中に溜まり、外に流れ出すことはなくなる。
【００１１】
したがって、過剰に生成された結露水が、送風機等の気流や設置方法で外側に飛び出したり、流れ出ることを防止することができ、水の飛び出しクレームの防止をすることができる。
【００１２】
第２の発明は、溜水部に不織布を設けたことを特徴とするもので、これによって、過剰に生成した結露水は不織布に吸収されるため、結露水が流れ出して外に飛び出すことはなくなる。
【００１３】
したがって、電極周辺の結露部分に不織布を設けることにより、多湿時の過剰に生成された結露水を吸収する為、送風機等の気流で外側に飛び出すことを防止することができ、水の飛び出しクレームの防止をすることができる。
【００１４】
第３の発明は、送風機能を有する風回路を備え、不織布に給水された水を、前記風回路内へ誘導する構成としたもので、これによって、結露した水が不織布に吸収された後、風回路内に誘導され、気流により結露水が乾燥されるため、結露水は流れ出して外に飛び出すことはなくなる。
【００１５】
したがって、不織布に吸収された水を風回路内へ誘導する手段を設け風回路内の気流で蒸発させることにより、多湿時の過剰に生成された結露水が送風機等の気流で外側に飛び出すことを防止することができ、水の飛び出しクレームの防止をすることができる。
【００１６】
第４の発明は、送風機能を有する風回路と、前記風回路内に配設されたヒートシンクとを備え、不織布に給水された水を、前記ヒートシンクの放熱を利用して蒸発させるようにしたことを特徴とするもので、これによって、結露した水が不織布に給水された後、ヒートシンクの放熱により乾燥され、しかも結露水は低温であるため、ヒートシンクの放熱を補助する役割も追加され、ペルチェの放熱を促進し、効率も向上し、結露水も流れ出して外に飛び出すことはなくなる。
【００１７】
したがって、不織布に吸収された結露水をヒートシンクに誘導してヒートシンクの放熱で蒸発させることで、多湿時に過剰に生成された結露水が送風機等の気流で外に飛び出すことを防止することができ、水の飛び出しクレームの防止をすることができるとともに、冷却水は低温であり、ヒートシンクの放熱効果も向上する。
【００１８】
第５の発明は、ペルチェ素子の電源をＯＦＦまたは極性を反転にするようにしたことを
特徴とするもので、結露水が溜まってきたらペルチェ素子の電源をＯＦＦまたは極性を反転することで、多湿時に過剰に生成された結露水が送風機等の気流で外側に飛び出すことを防止することができ、水の飛び出しクレームの防止をすることができる。また、同時にペルチェ素子への通電をＯＦＦにすることで、省エネにもつながなり、電源をＯＦＦにすることで節電の相乗効果もある。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における空気浄化装置の構成を示す断面図である。
【００２１】
図１において、１は放電電極、２は対向電極である。そして前記電極間に高電圧を印加し放電を発生させるパルス高電圧印加装置３が接続されている。ペルチェ素子４はパルス高電圧印加装置３とともに通電される。放電電極１はペルチェ素子４の冷却面と密着しており、ペルチェ素子４が通電されると放電電極１も熱伝導で冷却される。放電電極1は熱伝導性が重要であり、性能が左右される為、アルミ（Ａｌ）でできている。また、ペルチェ素子４の反対面である放熱側はヒートシンク５と密着しておりペルチェ素子４で発生する熱を放熱している。
【００２２】
また、図で示していないがペルチェ素子４と放電電極１、ペルチェ素子４とヒートシンク５の密着面には熱伝導性を良くする為、シリコン系の接着剤または充填剤が塗布してある。
【００２３】
以上のように構成された空気浄化装置について、以下、その動作、作用を説明する。
【００２４】
ペルチェ素子４に通電することでペルチェ素子４の冷却面と密着している放電電極１は、熱伝導で冷却され露点以下となり結露することになる。この状態で放電電極１と放電電極２にはパルス高電圧印加装置３により高電圧が印加されているため、前記電極間には放電が発生しており、放電電極１の先端に静電気力による静電霧化がなされる。放電は前記電極間にパルス高電圧を印加している為、交流高電圧や直流高電圧に比べるとエネルギーレベルは格段に大きくなり、水を解離や電離させるだけの充分なエネルギーを供給することができ、ラジカル・イオン・酸化性物質の生成量が多くなる。つまり、水を高率的に消費・生成することがでる。
【００２５】
このように連続運転していると、結露部分近辺が多湿条件の時など、結露水が過剰に生成されて広範囲に流れだして外側にまで流れだしたり送風機の気流などで飛び出すことになるため、放電電極１の結露する周辺に結露水が外に流れだしたりしないように窪み６を設けてある。この窪み６は、放電電極１の高さ以下の深さにすることで、常に放電を発生させておくことが可能となる。
【００２６】
以上のように、本実施の形態において放電電極１の結露する周辺に窪み６を設けることにより、結露水を窪み６に溜めることができ、結露水が外に流れだしたりしないようにすることができ、水が飛び出すといったクレームもなくなる。
【００２７】
（実施の形態２）
図２は、本発明の第２の実施の形態における空気浄化装置の構成を示す模式図である。
【００２８】
図２において、結露水を溜める窪み６の中に吸水性の良好な不織布１７を設置してある。不織布１７も放電電極１よりも高くならない範囲で常に放電のできるように設置されて
いる。このようにすることで空気浄化装置の設置状態が傾くような場合でも、結露水を溢すことはなくなり、結露水が外に流れだしたりしないようにすることができ、水が飛び出すといったクレームもなくなる。
【００２９】
（実施の形態３）
図３は、本発明の第３の実施の形態における空気浄化装置を風回路１８に設置した状態を示す模式図である。
【００３０】
図３において、窪み６に不織布１７を取りつけることで結露した水が給水される。結露水が窪み６よりも過剰に生成されると流れ出る可能性があるため、不織布１７を風回路１８内へ誘導するように設置する。このように構成することで、給水された結露水は不織布１７をつたい、風回路１８内へ誘導され、風回路１８内の気流により蒸発される。
【００３１】
以上のように、窪み６に不織布１７を取りつけ風回路１８内に誘導し乾燥させるようにすることで、窪み６以上に結露水が生成されても窪み６から水が溢れてこぼれることもなくなり、水が飛び出すといったクレームもなくなる。
【００３２】
（実施の形態４）
図４は、本発明の第４の実施の形態における空気浄化装置の構成を示す模式図である。
【００３３】
本実施の形態では窪み６に不織布１７を取りつけ結露した水が給水された後、不織布１７で放熱側のヒートシンク５表面に誘導しヒートシンク５表面の放熱を利用して蒸発されるように構成されている。
【００３４】
以上のように、窪み６に不織布１７を取りつけヒートシンク５表面に誘導し放熱を利用して乾燥させるようにすることで、窪み６以上に結露水が生成されても、窪み６から水が溢れてこぼれることもなくなり、水が飛び出すといったクレームもなくなる。また、結露水は低温であり、放熱の補助となる為放熱効率が向上するといった相乗効果もある。
【００３５】
（実施の形態５）
図５は、本発明の第５の実施の形態における空気浄化装置の構成を示す模式図である。
【００３６】
本実施の形態では窪み６に水位センサー２０を取りつけ、結露水が溜まってきたらペルチェ素子４の電源をＯＦＦまたは極性を反転するようにし、過剰な結露水の生成を止めるようにした。これにより、水が飛び出すといったクレームもなくなる。
【００３７】
なお、ここでは例えば水位センサー２０で説明したが、周囲環境とペルチェ通電時間など、結露水の量を判別する手段についてはなんら限定しない。
【産業上の利用可能性】
【００３８】
以上のように、本発明にかかる空気浄化装置は、過剰に生成された水が送風機等の気流で外に飛び出すことを防止するために、水の飛び出しクレームの防止をすることができるとともにペルチェの電気使用量を節約することも可能となるので、放電と水を利用し、空気中の悪臭物質や有害物質、さらに細菌やアレルゲン等の除去を行う空気浄化装置等の用途にも適用できる。
【図面の簡単な説明】
【００３９】
【図１】本発明の実施の形態１における空気浄化装置の模式図
【図２】本発明の実施の形態２における空気浄化装置の模式図
【図３】本発明の実施の形態３における送風回路へ設置した斜視図
【図４】本発明の実施の形態４における空気浄化装置の模式図
【図５】本発明の実施の形態５における模式図
【符号の説明】
【００４０】
１  放電電極
２  対向電極
３  パルス高電圧印加装置
４  ペルチェ素子
５  ヒートシンク
６  窪み（溜水部）
１８  風回路
１７  不織布
２０  水位センサー
【図１】
2006102202.tif 000003
【図２】
2006102202.tif 000004
【図３】
2006102202.tif 000005
【図４】
2006102202.tif 000006
【図５】
2006102202.tif 000007